(57)【特許請求の範囲】
【請求項１】
長手方向に凹溝を有し光フアイバケーブルの補強線を横断状態に受け入れる支持台と、上記支持台の凹溝内に嵌まり合う第１の突条と支持台の両側に添う第２の突条とをそなえる押圧具と、からなり、上記押圧具の第１、第２の突条により光フアイバケーブルの補強線を変形状態に押圧することを特徴とする光フアイバケーブル固定装置。
【請求項２】
一端側に光フアイバケーブルの補強線を受け入れる切り欠き溝と他端側が折り返されて上記切り欠き溝を覆う押さえ面とを有する本体と、上記本体の切り欠き溝の両側で押さえ面とともに光フアイバケーブルの補強線を変形状態に押圧する押圧具と、からなることを特徴とする光フアイバケーブル固定装置。
【発明の詳細な説明】
【０００１】
【発明の属する技術分野】
本発明は、光フアイバケーブルの補強線を押圧することにより光フアイバケーブルを固定し得る光フアイバケーブルの固定装置に関する。
【０００２】
電気信号に比して、飛躍的に高速かつ大容量の信号を処理し得る光信号を伝送するには光フアイバケーブルが用いられるが、建屋内などの建築構造物内に設置される伝送装置に接続される比較的に簡易構成の光フアイバケーブルは、内装されている光フアイバに対して外部からの引っ張りや屈曲が加わらないよう保護するための補強線が添えられる。
【０００３】
このような光フアイバケーブルが、図３３の光フアイバケーブル１ならびに図３４の光フアイバケーブル２に示される。図３３および図３４は、いずれも図（ａ）は被覆が除去され、光フアイバ３と補強線４とを適宜長さ露出させた状態の平面図であり、図（ｂ）は、それらの端面図である。
【０００４】
光フアイバ３と補強線４とは、所定間隔を設けて平行状態とし被覆５により一体化するように覆われている。光フアイバ３は公知なものであり、詳細は図示省略するが中心のコア部とその周囲のクラッド層とからなり、直径は約１２５μｍ、外部に合成樹脂による被覆が施されたもので、外形寸法は樹脂被覆の構成や程度により異なるが、約０．５ｍｍないし２ｍｍ程度に設定される。
【０００５】
補強線４は、高強度な硬鋼線、たとえばピアノ線あるいはばね用ステンレス鋼線などからなり、外形は約１ｍｍ程度か、それ以下である。被覆５は耐候性を有する、たとえばポリエチレン樹脂やポリアミド樹脂（商品名ナイロン）などの合成樹脂でなる。
【０００６】
光フアイバケーブル１には中心に補強線４を一本と、その両側に二本の光フアイバ３と、を配置構成したものであり、被覆５により覆われるとともに位置決めされている。また、その外形は厚さが３ｍｍ、幅が８ｍｍ程度の偏平形である。
【０００７】
光フアイバケーブル２には中心に光フアイバ３を一本と、その両側に二本の補強線４と、を配置構成したものであり、被覆５により覆われるとともに位置決めされている。また、その外形は厚さが３ｍｍ、幅が１２ｍｍ程度の偏平形である。
【０００８】
光フアイバケーブル１ならびに２は上記のように構成が異なるが、それらの構成部分については以後の説明を理解容易とするための都合で、あえて同一符号を付して示した。また、光フアイバ３および補強線４についても、ほぼ同一径にして図示する。
【０００９】
この光フアイバケーブル１、２を所定の伝送装置などの装置ユニット内に接続するには、光フアイバ３を適当長さ導出するとともに、その先端に光コネクタを接続することにより、装置ユニットの光回路と着脱可能に接続させる。
【００１０】
また、補強線４については、装置ユニットの固定装置に固定し、光フアイバ３に外部側の光フアイバケーブル１、２からの不都合な引っ張り力やねじり、などが働かないように保護することが行なわれる。
【００１１】
【従来の技術】
図３５は、従来の光フアイバケーブル固定装置１１の斜視図であり、プレス加工された構造用鋼板からなる支持板１２上の先端中央部に、円柱状の係止部材１３が取り付け固定されている。
【００１２】
支持板１２には、左右方向に間隔を隔てた二箇所に押し出し突出された係合突起１４と、その左右外側に切り欠き開口された二箇所の取り付け用孔１５と、が形成されている。
【００１３】
係止部材１３には、下方側面に支持板１２と並行するように貫通孔１６が開けられており、この貫通孔１６内に向けて上端からねじ１７がねじ込まれている。
【００１４】
図３６は、図３５とは異なる従来の光フアイバケーブル固定装置２１の斜視図であり、、プレス加工された構造用鋼板からなる支持板２２上の中央部に、間隔を隔てた二箇所に円柱状の係止部材２３が取り付け固定されている。
【００１５】
支持板２２には、左右両端に切り欠き開口された二箇所の取り付け用孔２４が形成されている。
【００１６】
係止部材２３には、下方側面に支持板２２と並行するように貫通孔２５が、それぞれに開けられており、この貫通孔２５内に向けて上端からねじ２６がねじ込まれている。図示されるように二つの貫通孔２５は互いに並行する方向に向けて設定されている。
【００１７】
光フアイバケーブル固定装置１１の一箇所の係止部材１３ならびに、光フアイバケーブル固定装置２１の二箇所の係止部材２３の、各貫通孔１６、２５には光フアイバケーブルの補強線４が挿入され、その上からねじ１７、２６をねじ込み締め付けることにより補強線４が貫通孔内に固定される。
【００１８】
以上のことから、光フアイバケーブル固定装置１１は図３３で説明の光フアイバケーブル１に適用されるものであり、光フアイバケーブル固定装置２１は図３４で説明の光フアイバケーブル２に適用されるものであることは説明するまでもなく容易に理解されよう。
【００１９】
したがって、光フアイバケーブル固定装置１１に取り付けられる光フアイバケーブル１の２本の光フアイバ３は、係止部材１３の両側をとおるように延在されることとなるが、補強線４が一本なことから、光フアイバケーブル１が補強線４を中心にねじられるおそれがある。そこで、ねじれないよう係合突起１４に公知な束線バンド（商品名タイラップ）などをとおして縛りつけ固定する必要がある。
【００２０】
一方の光フアイバケーブル固定装置２１に取り付けられる光フアイバケーブル２の１本の光フアイバ３は、二箇所の係止部材２３間の隙間をとおり延在されるが、二本の補強線４が二箇所の係止部材２３にそれぞれ固定されることから、光フアイバケーブル２がねじれることによる不都合はない。
【００２１】
これらの、光フアイバケーブル固定装置１１の幅は、約２７ｍｍ、前後方向の長さは、約２２ｍｍ、である。光フアイバケーブル固定装置２２の幅は、約２８ｍｍ、前後方向の長さは、約１８ｍｍ、である。
【００２２】
図３７を参照すると、光フアイバケーブル１が接続される伝送装置ユニット３１の概略の要部平面図が、カバーを開放した状態に示される。図３７において、筐体３２の内部に、光信号を電気信号に変換する光受光モジュールまたは、電気信号を光信号に変換する光発光モジュールなどの光モジュール３３が取り付けられており、３本の光フアイバケーブル１をそれぞれに固定する３つの光フアイバケーブル固定装置１１が接近状態にねじ３４で取り付けられている。
【００２３】
伝送装置ユニット３１には、局側と接続される光フアイバケーブル１が１本と、利用者側に接続される光フアイバケーブル１が２本の、計３本接続される場合があり、光コネクタ３７は、このような接続形態に示してある。
【００２４】
この光フアイバケーブル固定装置１１には、既述したように光フアイバケーブル１の補強線４が係止部材１３により固定されており、それぞれの光フアイバ３が余長処理部３５において、光フアイバ３の許容巻回半径３ｃｍ以上の巻回直径となるように巻回保持される。
【００２５】
光モジュール３３には光フアイバ３６の接続された光コネクタ３７が着脱可能に接続されているが、この光フアイバ３６と光フアイバケーブル１の光フアイバ３とは、融着により接続されたスプライス接続部３８として筐体３２に保持固定されている。
【００２６】
光フアイバケーブル固定装置１１には、係合突起１４と光フアイバケーブル１とがバンド３９により巻着固定されている。
【００２７】
図示左方の部分は電源ユニット４１の収容部であり、その他の符号、４２は商用の電源線、４３、４４、４５、などは、その他の光コネクタ、操作部品、同軸コネクタ、などである。
【００２８】
図３７において、光フアイバケーブル固定装置１１の取り付け領域が占めるスペースについて図３８を参照して説明すると、図３７から明らかなように３本の光フアイバケーブル１が最接近状態に導入し得るよう、３個の光フアイバケーブル固定装置１１を密に接近させた位置関係に組み合わせ配置して取り付けることが行なわれる。
【００２９】
このような最接近状態の組み合わせにしたとしたとしても、組み合わせのスペースとしての、幅Ｗ1 は５７ｍｍ程度、奥行き方向の長さＬ1 は５０ｍｍ程度、となる。
【００３０】
上記、光フアイバケーブル１の場合光フアイバケーブル固定装置１１であるが、光フアイバケーブル２の場合光フアイバケーブル固定装置２１との組み合わせとなるが、スペースについては、ほぼ同様である。
【００３１】
【発明が解決しようとする課題】
上記、従来の光フアイバケーブル固定装置１１または２１による光フアイバケーブル１または２の固定手段によると、光フアイバケーブル１の使用本数に応じて個々に光フアイバケーブル固定装置１１または２１を配置し取り付けなければならない。
【００３２】
本数の増加に応じての組み合わせ配置を最接近状態に工夫せず、単純に取り付けたのでは、いたずらに過大な配置スペースを要するし、工夫したとしても、上述したように限度があり、装置ユニットの小型化の要求に応じかねるといった問題が生じる。
【００３３】
光フアイバケーブル固定装置１１単位にねじ３４で取り付けなければならず、加工の工数や、組み立て、取り付けに要する工数なども数量に応じて増加する。
【００３４】
図３７および図３８を参照した説明では二心の光フアイバケーブル１についての取り付けの場合であるが、単心の光フアイバケーブル２の場合には、それようの光フアイバケーブル固定装置２１を用意しなければならず、つねに両者に対応可能なよう容易しておくことが必要である。
【００３５】
また、光フアイバケーブル１または２の補強線４を、個々の係止部材１３、２３の貫通孔１６、２５に挿入し、それぞれを、ねじ１７、３４により締め付け固定しなければならない。
【００３６】
光フアイバケーブル固定装置１１または２１の係止部材１３、２３は、補強線４を固定するのに、ねじ１７または２６で締め付けるのであるが、作業者の個人差による過大な締め付け力に対しても支持板１２、２２に対して、その取り付け部分が損なわれて回転したり破損したりしないような、確実にして強固な取り付け状態の品質が必要である。
【００３７】
本発明は、上記従来の問題点にかんがみて、それぞれの問題点を解消し得るとともに、光フアイバケーブル単位に、または一括して複数本の光フアイバケーブルの補強線を固定可能とする光フアイバケーブル固定装置の提供を発明の課題とするものである。
【００３８】
【課題を解決するための手段】
上記課題を解決するための本発明手段である光フアイバケーブル固定装置の構成要旨とするところの、第１の手段は、光フアイバケーブルの補強線を横断状態に受け入れる支持台と、この支持台の両側に突出する補強線を変形状態に押圧する押圧具と、からなる。
【００３９】
この第１の手段によると、支持台に横断状態に受け入れられる補強線を押圧具によって両側で変形状態に押圧するので、確実な係止固定状態が得られる。複数の補強線に対しては一括して押圧させることが可能である。
【００４０】
第２の手段は、光フアイバケーブルの補強線を貫通孔内に挿入し横断状態に受け入れる支持台と、この支持台の両側に突出する補強線を変形状態に押圧する押圧具と、からなる。
【００４１】
この第２の手段によると、支持台の横断方向に設けられた貫通孔に挿入し受け入れられる補強線を押圧具によって両側で変形状態に押圧することにより、確実な押圧状態が得られる。当然に、複数の補強線に対しても一括して押圧可能である。
【００４２】
第３の手段は、長手方向に凹溝を有し光フアイバケーブルの補強線を横断状態に受け入れる支持台と、この支持台の凹溝内に嵌まり合う第１の突条と支持台の両側に添う第２の突条とをそなえる押圧具と、からなり、押圧具の第１、第２の突条によって光フアイバケーブルの補強線を変形状態に押圧する。
【００４３】
この第３の手段によると、支持台に凹溝を含んで横断状態に受け入れられる補強線を押圧具の第１の突条は支持台の凹溝内を、第２の突条は支持台の両側面側を、それぞれに押圧し変形状態とする。このようなことは、押圧具の突条および、または第２の突条によって、支持台の凹溝内および、または支持台の両外側で補強線を押圧変形させるので確実な押圧状態が得られる。もちろん複数の補強線に対して一括しての押圧を可能とする。
【００４４】
第４の手段は、支持台の補強線の受け入れ箇所は、少なくとも１箇所であることが、手段１ないし手段３に適用され得る。
【００４５】
この第４の手段によると、補強線が１本の光フアイバケーブル単体に最低限対応可能であるし、補強線が複数本の光フアイバケーブル、さらには、複数本の光フアイバケーブルに対しても対応可能になし得る。
【００４６】
第５の手段は、支持台の補強線の受け入れ箇所を異なる種類の光フアイバケーブルに対応可能とすることが、手段１ないし手段３に適用され得る。
【００４７】
この第５の手段によると、異なる種類の光フアイバケーブル、たとえば、補強線が１本と複数本に対して対応可能なように受け入れ箇所を設けることにより、このような光フアイバケーブルに対して兼用ないしは混在して押圧し得る。
【００４８】
第６の手段は、支持台に光フアイバケーブルの光フアイバを横断状態に受け入れる横断溝を形成することが、手段１ないし手段３に適用され得る。
【００４９】
この第６の手段によると、横断溝内に受け入れられる光フアイバは押圧具によって押圧されずに、補強線のみが押圧係止されるように構成されるので、光フアイバと補強線とが側面視で同様経路上に延在されることから、作業性が格段に良好なものであり、光フアイバの曲げ曲率を小さくし得る。
【００５０】
第７の手段は、一端に光フアイバケーブルの補強線を受け入れる切り欠き溝と他端側が折り返されて切り欠き溝を覆う押さえ面とを有する本体と、この本体の切り欠き溝の両側で押さえ面とともに光フアイバケーブルの補強線を変形状態に押圧する押圧具と、からなる。
【００５１】
この第７の手段によると、補強線を切り欠き溝内に受け入れさせて押圧具によって切り欠き溝の両側で補強線を押圧し変形状態に押圧係止させるので、確実な押圧状態が得られる。もちろん、複数の補強線を一括して押圧させることは可能なことであるし、一体の本体の両端で係止させるものであるから、分離することなく取り扱い性が良好である。
【００５２】
【発明の実施の形態】
以下、本発明光フアイバケーブル固定装置について、構成要旨にもとづいた好適な実施の形態により、それぞれ図を参照しながら具体的詳細に説明する。なお、理解を明確かつ容易とするために、便宜上全図を通じて同様部分には同一符号を付して示す。
【００５３】
本発明においては、光フアイバケーブルを構成する光フアイバを単心、複数心を含めて、煩雑となることから光フアイバコードなどの分類した呼称を使用することなく、すべて光フアイバケーブルと統一して称することとする。
【００５４】
また、光フアイバケーブルについては、便宜上、代表的に図３３および図３４を参照して説明の二心と単心の光フアイバ構成のものを適用する。
【００５５】
図１は、本発明光フアイバケーブル固定装置の第１の一実施の形態の分離状態の斜視図である。光フアイバケーブル固定装置５１は、支持台５２と押圧具５３とからなる。
【００５６】
支持台５２は、構造用鋼などの凸型の型材を裁断したものでなり、基板面５４の中央部に突条５５をそなえ、基板面５４には対角位置に取り付け用孔５６を有する。
【００５７】
突条５５の側面には、両側面に貫通する貫通孔５７が所定間隔に並行して３箇所に設けられており、両面に開口する円錐形の面取りが施されている。突条５５の上面５８両端に取り付け用のねじ孔５９が形成されている。
【００５８】
押圧具５３は、同様に構造用鋼などの逆凹型の型材を裁断したものでなり、両側に一対の突条６１と、上面でもある底面６２の中央両端に取り付け用孔６３と、両側の外縁に添った稜線部分が傾斜面６４と、に形成されてなる。
【００５９】
支持台５２と押圧具５３の長手方向の長さは同一である。しかして、支持台５２の突条５５の両側面間の幅は、押圧具５３の一対の突条６１の対向間の幅の方が後述するように適宜広く設定されている。
【００６０】
支持台５２の突条５５の上面５８の面から貫通孔５７の位置までの距離よりも、押圧具５３の底面６２の凹型内面から一対の突条６１の先端面までの距離の方が、やはり後述するように長く設定されている。
【００６１】
以上の構成で、光フアイバケーブル１または２の取り付け固定について、図２の側断面図を参照して説明する。まず、図（ａ）に示すように、支持台５２を図示省略の装置ユニットなどの適宜要所に、ねじ６５で基板面５４の取り付け用孔５６を介して取り付け固定する。
【００６２】
ついで、代表的に光フアイバケーブル１の光フアイバ３を支持台５２上とし、補強線４を貫通孔５７内に挿通し突条５５を横断状態として支持台５２へ受け入れさせる。
【００６３】
貫通孔５７の大きさは、補強線４を丁度嵌まり込ませるに適した直径であるが、開口する円錐形の面取りにより容易に挿入し得る。なお、円錐形の面取りが両面側に施してあるのは、支持台５２の取り付け方向を特定しないよう可逆可能に配慮されていることである。
【００６４】
この状態が図（ａ）に示される。すなわち、突条５５の両側面からは補強線４が突出されている。
【００６５】
続いて、図（ｂ）に示されるように、突条５５上に押圧具５３を位置させるのであるが、光フアイバ３が、この押圧具５３上となるよう、光フアイバ３の下方に挿入させ、両端の取り付け用孔６３にねじ６７を挿入し支持台５２のねじ孔５９にねじ込み、締め付けると、支持台５２の突条上面５８に、押圧具５３の底面６２の内面が接して図示状態に位置決めされる。
【００６６】
押圧具５３の一対の突条６１の先端面が補強線４に接して図示されるように押し下げ、補強線４が変形される。ここで重要なことは、一対の突条６１の対向間の幅が、支持台５２の突条５５の両側面間よりも広く設定されていることにあり、一対の突条６１の内側面と、突条５５の側面間には図示されるように適宜な間隙６８が形成されることにある。
【００６７】
すなわち、このような間隙６８の存在によって、補強線４には剪断力による切断作用が働かずに、押し下げによる押圧変形されることになり、補強線４はいずれの方向へも容易には外からの作用力に応じて移動することがなく位置が固定される。
【００６８】
押圧具５３の傾斜面６４により、その上に位置される光フアイバ３に稜線による局部的な接触力が作用することなく、しかも彎曲の曲率を小さくし得るので光フアイバ３への悪影響が軽減される。
【００６９】
補強線４は光フアイバケーブル１の場合、支持台５２の３箇所の貫通孔５７の中央部に挿入するものである。したがって、光フアイバケーブル１のみを考えると、貫通孔５７は１箇所のみで、こと足りるものである。
【００７０】
また、これらの構成材料は構造用鋼にかぎらず、ステンレス鋼材、あるいは、適宜な硬質のアルミニウム合金材などから選択選定することにより、めっきなどの防錆処理をなくすこともなし得るし、要すればこのような材料のプレス成型品などとすることももちろん可能である。
【００７１】
図３は、本発明光フアイバケーブル固定装置の第２の一実施の形態の分離状態の斜視図である。光フアイバケーブル固定装置７１は、支持台７２と押圧具７３とからなる。
【００７２】
支持台７２は構造用鋼などの型材を裁断したものでなり、基板面７４の中央部に凹溝７５を有する突条７６をそなえ、基板面７４には対角位置に取り付け用孔７７を有する。
【００７３】
突条７６には、上面７８に連通するとともに両側面に横断し開口する横断溝７９が所定間隔に並行して３箇所に設けられている。凹溝７５の両端に図では見えないが、取り付け用のねじ孔８１が形成されている。
【００７４】
押圧具７３は、同様に構造用鋼などの逆凹型の中央部に第１の突条８２を有する型材を裁断したものでなり、両側に一対の第２の突条８３と、上面でもある底面８４の中央両端に取り付け用孔８５と、両側の外縁に添った稜線部分が傾斜面８６と、に形成されてなる。
【００７５】
支持台７２と押圧具７３の長手方向の長さは同一である。しかして、支持台７２の突条７６の凹溝７５内壁面の両対向間の幅は、押圧具７３の第１の突条８２を嵌め込むに適した幅に設定されている。
【００７６】
また、支持台７２の突条７６外側の両側壁面間の幅は、押圧具７３の一対の第２の突条８３の対向間の幅が後述するように適宜広く設定されている。
【００７７】
支持台７２の突条７６の上面７８から横断溝７９の底面位置までの距離は、押圧具７３の底面８４の内面から一対の第２の突条８３の先端面までの距離に、ほぼ等しいか、わずかに短く設定されている。
【００７８】
また、同じく一対の第２の突条８３先端までよりも、第１の突条８２の先端までの距離の方が後述するように短く設定されている。
【００７９】
以上の構成で、光フアイバケーブル１または２の取り付け固定について、図４の側断面図を参照して説明する。まず、図（ａ）に示すように、支持台７２を図示省略の装置ユニットなどの適宜要所に、ねじ８７で基板面７４の取り付け用孔７７を介して取り付け固定する。
【００８０】
ついで、代表的に光フアイバケーブル１の光フアイバ３を支持台７２上とするようにして、補強線４を横断溝７９内に上から嵌め込ませて横断状態として支持台７２に受け入れさせる。
【００８１】
横断溝７９の幅は補強線４を丁度嵌め込ませるに適した幅に設定されていることから、容易に挿入し得る。
【００８２】
この状態が図（ａ）に示される。すなわち、突条７６の両側面からは補強線４が突出されている。
【００８３】
続いて、図（ｂ）に示されるように、突条７６上に押圧具７３を位置させるのであるが、光フアイバ３が、この押圧具７３上となるよう、光フアイバ３の下方に挿入させ、両端の取り付け用孔８５にねじ８８を挿入し支持台７２のねじ孔８１にねじ込み、締め付けると、支持台７２の突条上面７８に、押圧具７３の底面８４の内面が接して図示状態に位置決めされる。
【００８４】
押圧具７３の一対の第２の突条８３の先端面が補強線４に接して図示されるように押し下げ、補強線４が変形される。ここで重要なことは、一対の第２の突条８３の対向間の幅が、支持台７２の突条７６の両側面間よりも広く設定されていることにあり、一対の第２の突条８３の内側面と、突条７６の側面間には図示されるように適宜な間隙８９が形成されることにある。
【００８５】
それとともに、押圧具７３の第１の突条８２先端面が補強線４に接するか、ごくわずかに間隔を隔てた接近位置に設定されていることにより、一対の第２の突条８３に押圧されることで、補強線４が凹溝７５内で山形となることが阻止され、適宜に押さえられることで安定した押圧係止状態となることにある。
【００８６】
すなわち、このような間隙８９の存在によって、補強線４には剪断力による切断作用が働かずに、押し下げによる押圧変形されることになり、補強線４はいずれの方向へも外からの作用力に応じて容易に移動することがなく位置が固定される。
【００８７】
押圧具７３の傾斜面８６により、その上に位置される光フアイバ３に稜線による局部的な接触力が作用することなく、しかも彎曲の曲率を小さくし得るので光フアイバ３への悪影響が軽減される。
【００８８】
補強線４は光フアイバケーブル１の場合、支持台７２の３箇所の横断溝７９の中央部に挿入するものである。したがって、光フアイバケーブル１のみを考えると、横断溝７９は１箇所のみで、こと足りるものである。
【００８９】
また、これらの構成材料は構造用鋼にかぎらず、ステンレス鋼材、あるいは、適宜な硬質アルミニウム合金材などから選択選定することにより、めっきなどの防錆処理をなくすこともなし得るし、要すればこのような材料のプレス成型品などとすることももちろん可能である。
【００９０】
この光フアイバケーブル固定装置７１によると、既述の光フアイバケーブル固定装置５１に比して小径な貫通孔５７を穿孔加工するのことなく、横断溝７９なことから加工形成することが容易であるのみならず、補強線４を横断溝７９内に挿入配置させるのも、きわめて容易に行なえる。
【００９１】
図５は、上述したようにして、光フアイバケーブル固定装置５１または７１に取り付けられた状態の光フアイバケーブル１および２の平面図が示される。ここで、代表的に光フアイバケーブル固定装置５１と光フアイバケーブル１とを組み合わせた図（ａ）により説明する。
【００９２】
光フアイバケーブル１の補強線４を光フアイバケーブル固定装置５１の支持台５２に設けられた中央部の貫通孔５７に挿入することで、既述のようにして取り付け固定させた状態にする。
【００９３】
図（ｂ）によると、同様にして光フアイバケーブル２との組み合わせが示されるが、この場合には、光フアイバケーブル２の２本の補強線４を、光フアイバケーブル固定装置５１の支持台５２に設けられた３箇所のうち、両側二箇所の貫通孔５７にそれぞれ挿入することで、既述のようにして、図示されるよう取り付け固定させた状態になし得る。
【００９４】
このように、支持台５２に貫通孔５７を３箇所とすることにより、異なる光フアイバケーブル１または２の補強線４の本数に応じて、一種類の光フアイバケーブル固定装置５１で対応することが可能となる。
【００９５】
以上は、代表的に光フアイバケーブル固定装置５１として説明したが、図５については、図３に示される光フアイバケーブル固定装置７１としても、まったく同様に取り付け固定し得るものである。
【００９６】
すなわち、図５の符号を図１と対比させ図３の同様構成部分と置き換え、支持台５２を７２、押圧具５３を７３とし、貫通孔５７を横断溝７９とすることで、図２と図４とを参照するとともに関係する説明箇所を比較参照することにより、あえて詳細に説明するまでもなく容易に理解される。
【００９７】
図６は、本発明にかかる光フアイバケーブル保持装置９１が、図（ａ）で斜視図に示され、光フアイバケーブル保持装置９１は適宜な金属板をプレス装置により加工形成されるもので、主面９２の２箇所に取り付け用孔９３と、一端が折り曲げられ主面９２と並行する面が細くくびれた光フアイバケーブルの取り付け部９４に形成されてなる。
【００９８】
図（ｂ）は、光フアイバケーブル固定装置５１に光フアイバケーブル１が取り付けられた状態の側面図に示される。すなわち、主面９２上に光フアイバケーブル固定装置５１を位置させて支持台５２とともに、ねじ６５で図示省略の装置ユニットなどの適宜要所にそれぞれの取り付け用孔５６、９３を介して取り付け固定する。
【００９９】
この後は、図２を参照して説明のようにして光フアイバケーブル１を、光フアイバケーブル固定装置５１に取り付け固定させることは同様である。
【０１００】
ついで、光フアイバケーブルの被覆５部分を光フアイバケーブルの取り付け部９４上として、公知なタイラップなどのバンド３９で縛りつけ締め付けて固定保持させる。このようにすることで、光フアイバケーブル１が光フアイバケーブル固定装置５１に対して自由に移動することがなくなり、安定する。
【０１０１】
この光フアイバケーブル保持装置９１についても、光フアイバケーブル１に限定することなく、光フアイバケーブル２についても適用し得ることはもちろんのこと、光フアイバケーブル固定装置５１にかえて、光フアイバケーブル固定装置７１に適用し得るものである。
【０１０２】
図７は、本発明光フアイバケーブル固定装置の第３の一実施の形態の分離状態の斜視図である。光フアイバケーブル固定装置１０１は、支持台１０２と押圧具１０３とからなる。
【０１０３】
支持台１０２は、構造用鋼などの方形角型の棒材を裁断したものでなり、側面には、両側面に貫通する貫通孔１０４が所定間隔に並行して３箇所の組として、３組設けられており、両面に開口する円錐形の面取りが施されている。
【０１０４】
上面１０５には、貫通孔１０４の組を避ける間に取り付け用のねじ孔１０６が２箇所と、両端に取り付け用孔１０７と、が形成されている。
【０１０５】
押圧具１０３は、同様に構造用鋼などの逆凹型の型材を裁断したものでなり、両側に一対の突条１０８と、上面でもある底面１０９の中央から所定間隔に、２箇所の取り付け用孔１１１と、両側の外縁に添った稜線部分が傾斜面１１２と、に形成されてなる。
【０１０６】
押圧具１０３の長さは、支持台１０２の貫通孔１０４すべてを覆うに足りる長さであるが、支持台１０２よりも短い。しかして、支持台１０２の両側面間の幅は、押圧具１０３の一対の突条１０８内面の対向間の幅の方が後述するように適宜広く設定されている。
【０１０７】
支持台１０２の上面１０５の面から貫通孔１０４の位置までの距離よりも、押圧具１０３の底面１０９の内面から一対の突条１０８の先端面までの距離の方が、やはり後述するように長く設定されている。
【０１０８】
以上の構成で、光フアイバケーブル１または２の取り付け固定について、図８の側断面図を参照して説明する。まず、図（ａ）に示すように、支持台１０２を図示省略の装置ユニットなどの適宜要所に、ねじ１１３で取り付け用孔１０７を介して取り付け固定する。
【０１０９】
ついで、代表的に光フアイバケーブル１の光フアイバ３を支持台１０２上とし、補強線４を貫通孔１０４内に挿入し支持台１０２へ横断状態として受け入れさせる。
【０１１０】
貫通孔１０４の大きさは補強線４を丁度嵌まり込ませるに適した直径であるが、開口する円錐形の面取りにより容易に挿入し得る。なお、円錐形の面取りが両側に施してあるのは、支持台１０２の取り付け方向を特定しないよう可逆的に可能なよう配慮されていることである。
【０１１１】
この状態が図（ａ）に示される。すなわち、支持台１０２の両側面からは補強線４が突出されている。
【０１１２】
続いて、図（ｂ）に示されるように、支持台１０２上に押圧具１０３を位置させるのであるが、光フアイバ３が、この押圧具１０３上となるよう、光フアイバ３の下方に挿入させ、２箇所の取り付け用孔１１１にねじ１１４を挿入し支持台１０２のねじ孔１０６にねじ込み、締め付けると、支持台１０２の上面１０５に、押圧具１０３の底面１０９の内面が接して図示状態に位置決めされる。
【０１１３】
押圧具１０３の一対の突条１０８の先端面が補強線４に接して図示されるように押し下げ、補強線４が変形される。ここで重要なことは一対の突条１０８の対向間の幅が支持台１０２の両側面間よりも広く設定されていることにあり、一対の突条１０８の内面側と、支持台１０２の側面間には図示されるように適宜な間隙１１５が形成されることにある。
【０１１４】
すなわち、このような間隙１１５の存在によって補強線４には剪断力による切断作用が働かずに、押し下げによる押圧変形されることになり、補強線４はいずれの方向へも外からの作用力に応じて容易に移動することがなく位置が固定される。
【０１１５】
押圧具１０３の傾斜面１１２により、その上に位置される光フアイバ３に稜線による局部的な接触力が作用することなく、しかも彎曲の曲率を小さくし得るので光フアイバ３への悪影響が軽減される。
【０１１６】
補強線４は光フアイバケーブル１の場合、支持台１０２の各組の３箇所の貫通孔１０４の中央部に挿入するものである。したがって、光フアイバケーブル１のみを考えると、貫通孔１０４は１箇所のみで、こと足りるものである。
【０１１７】
また、これらの構成材料は構造用鋼にかぎらず、ステンレス鋼材、あるいは、適宜な硬質アルミニウム合金材などから選択選定することにより、めっきなどの防錆処理をなくすこともなし得る。要すればこのような材料のプレス成型品などとすることももちろん可能なことである。
【０１１８】
貫通孔１０４の位置を、支持台１０２の高さ方向の中央部となるように、支持台１０２の高さを設定するならば、上下方向を特定することなく任意となり、好適である。
【０１１９】
図９は、本発明光フアイバケーブル固定装置の第４の一実施の形態の分離状態の斜視図である。光フアイバケーブル固定装置１２１は、支持台１２２と押圧具１２３とからなる。
【０１２０】
支持台１２２は、構造用鋼などの中央部に凹溝１２４を有する方形角型の棒材を裁断したものでなり、側面には、両側面に凹溝１２４内をとおって貫通する貫通孔１２５が所定間隔に並行し３箇所の組として、３組設けられており、両面に開口する円錐形の面取りが施されている。
【０１２１】
凹溝１２４の底面には、貫通孔１２５の組を避ける間に取り付け用のねじ孔１２６が２箇所と、両端に取り付け用孔１２７と、が形成されている。
【０１２２】
押圧具１２３は、同様に構造用鋼などの逆凹型の中央部に第１の突条１２８を有する型材を裁断したもので、両側に一対の第２の突条１２９と、上面でもある底面１３１の中央から所定間隔に、２箇所の取り付け用孔１３２と、両側の外縁に添った稜線部分が傾斜面１３３と、に形成されてなる。
【０１２３】
押圧具１２３の長さは、支持台１２２の貫通孔１２５すべてを覆うに足りる長さであるが、支持台１２２よりも短い。しかして、支持台１２２の凹溝１２４内側の対向間の幅よりも、押圧具１２３の第１の突条１２８の幅の方が後述するように適宜薄く設定されている。
【０１２４】
また、支持台１２２外側の両側面間の幅は、押圧具１２３の一対の第２の突条１２９の対向間を嵌め込むに適した幅に設定されている。
【０１２５】
支持台１２２の上面１３４の面から貫通孔１２５の位置までの距離よりも、押圧具１２３の底面１３１の内面から第１の突条１２８の先端面までの距離の方が、後述するように長く設定されている。
【０１２６】
以上の構成で、光フアイバケーブル１または２の取り付け固定について、図１０の側断面図を参照して説明する。まず、図（ａ）に示すように、支持台１２２を図示省略の装置ユニットなどの適宜要所に、ねじ１３５で取り付け用孔１２７を介して取り付け固定する。
【０１２７】
ついで、代表的に光フアイバケーブル１の光フアイバ３を支持台１２２上とし、補強線４を貫通孔１２５内に挿入し支持台１２２へ横断状態として受け入れさせる。
【０１２８】
貫通孔１２５の大きさは補強線４を丁度嵌まり込ませるに適した直径であるが、開口する円錐形の面取りにより容易に挿入し得る。なお、円錐形の面取りが両側に施してあるのは、支持台１２２の取り付け方向を特定しないよう可逆的に可能なよう配慮されていることである。
【０１２９】
この状態が図（ａ）に示される。すなわち、支持台１２２の両側面からは補強線４が突出されている。
【０１３０】
続いて、図（ｂ）に示されるように、支持台１２２上に押圧具１２３を位置させるのであるが、光フアイバ３が、この押圧具１２３上となるよう、光フアイバ３の下方に挿入させ、２箇所の取り付け用孔１３２にねじ１３６を挿入し支持台１２２のねじ孔１２６にねじ込み、締め付けると、支持台１２２の上面１３４に、押圧具１２３の底面１３１の内面が接して図示状態に位置決めされる。
【０１３１】
押圧具１２３の一対の第２の突条１２９の先端面は補強線４に接することなく、図示状態に位置するとともに、第１の突条１２８は補強線４と接して、補強線４を押し下げている。
【０１３２】
補強線４は凹溝１２４の両側の貫通孔１２５により、その位置が規定されることから第１の突条１２８で押し下げられることにより、凹溝１２４内で図示状態に彎曲変形される。
【０１３３】
ここで重要なことは、一対の第２の突条１２９の対向する内面は、支持台１２２外側の両側面と接するようであるが、第１の突条１２８の幅よりも凹溝１２４の対向間の方が広く設定されていることにより、図示されるように第１の突条１２８の両側面と凹溝１２４の対向する内面間には適宜な間隙１３７が形成されることにある。
【０１３４】
それとともに、第１の突条１２８により彎曲変形される補強線４の下方は、凹溝１２４の底面に接するか、ごくわずかな隙間が与えられるよう、凹溝１２４の深さが設定されている。
【０１３５】
すなわち、このような間隙１３７の存在によって補強線４には剪断力による切断作用が働かずに、押し下げによる押圧変形されることになり、補強線４はいずれの方向へも外からの作用力に応じて容易に移動することがなく位置が固定される。
【０１３６】
押圧具１２３の傾斜面１３３により、その上に位置される光フアイバ３に稜線による局部的な接触力が作用することなく、しかも彎曲の曲率を小さくし得るので光フアイバ３への悪影響が軽減される。
【０１３７】
支持台１２２の両外側へ突出する補強線４は、彎曲しないで支持台１２２の取り付け面と並行方向に一致するので、光フアイバケーブル１を取り付け固定するのに好都合なこととなる。
【０１３８】
補強線４は光フアイバケーブル１の場合、支持台１２２の各組の３箇所の貫通孔１２５の中央部に挿入するものである。したがって、光フアイバケーブル１のみを考えると、貫通孔１２５は１箇所のみで、こと足りるものである。
【０１３９】
また、これらの構成材料は構造用鋼にかぎらず、ステンレス鋼材、あるいは、適宜な硬質アルミニウム合金材などから選択選定することにより、めっきなどの防錆処理をなくすこともなし得る。要すればこのような材料のプレス成型品などとすることももちろん可能なことである。
【０１４０】
図１１は、本発明光フアイバケーブル固定装置の第５の一実施の形態の分離状態の斜視図である。光フアイバケーブル固定装置１４１は、支持台１４２と押圧具１４３とからなる。
【０１４１】
支持台１４２は、構造用鋼などの中央部に凹溝１４４を有する方形角型の棒材を裁断したものでなり、上面１４５に連通するとともに両側面に横断し開口する横断溝１４６が所定間隔に並行する３箇所の組として、３組設けられている。
【０１４２】
凹溝１４４の底面には、横断溝１４６の組を避ける間に取り付け用のねじ孔１４７が２箇所と、両端に取り付け用孔１４８と、が形成されている。
【０１４３】
押圧具１４３は、同様に構造用鋼などの逆凹型の中央部に第１の突条１４９を有する型材を裁断したもので、両側に一対の第２の突条１５１と、上面でもある底面１５２の中央から所定間隔に、２箇所の取り付け用孔１５３と、両側の外縁に添った稜線部分が傾斜面１５４と、に形成されている。
【０１４４】
押圧具１４３の長さは、支持台１４２の横断溝１４６すべてを覆うに足りる長さであるが、支持台１４２よりも短い。しかして、支持台１４２の凹溝１４４内側の対向間の幅よりも、押圧具１４３の第１の突条１４９の幅の方が後述するように適宜薄く設定されている。
【０１４５】
また、支持台１４２の外側の両側面間の幅は、押圧具１４３の一対の第２の突条１５１の対向間を嵌め込むに適した幅に設定されている。
【０１４６】
支持台１４２の上面１４５の面から横断溝１４６の底面位置までの距離は、押圧具１４３の底面１５２の内面から第１の突条１４９の先端面までの距離に、ほぼ等しいか、わずかに短く設定されている。
【０１４７】
第１の突条１４９先端までの距離よりも、一対の第２の突条１５１先端までの距離の方が後述するように短く設定されている。
【０１４８】
以上の構成で、光フアイバケーブル１または２の取り付け固定について、図１２の側断面図を参照して説明する。まず、図（ａ）に示すように、支持台１４２を図示省略の装置ユニットなどの適宜要所に、ねじ１５５で取り付け用孔１４８を介して取り付け固定する。
【０１４９】
ついで、代表的に光フアイバケーブル１の光フアイバ３を支持台１４２上とするようにして、補強線４を横断溝１４６内に上から嵌め込ませ横断状態として支持台１４２に受け入れさせる。
【０１５０】
横断溝１４６の幅は補強線４を丁度嵌め込ませるに適した幅に設定されていることから、容易に挿入し得る。
【０１５１】
この状態が図（ａ）に示される。すなわち、支持台１４２の両側面からは補強線４が突出されている。
【０１５２】
続いて、図（ｂ）に示されるように、支持台１４２上に押圧具１４３を位置させるのであるが、光フアイバ３が、この押圧具１４３上となるよう、光フアイバ３の下方に挿入させ、２箇所の取り付け用孔１５３にねじ１５６を挿入し支持台１４２のねじ孔１４７にねじ込み、締め付けると、支持台１４２の上面１４５に、押圧具１４３の底面１５２の内面が接して図示状態に位置決めされる。
【０１５３】
押圧具１４３の一対の第２の突条１５１の先端面が、支持台１４２の両側に突出する補強線４に丁度接するとともに、第１の突条１４９は補強線４と接して、補強線４を押し下げている。
【０１５４】
補強線４は支持台１４２の両側で一対の第２の突条１５１により、その位置が規定されることから第１の突条１４９で押し下げられることにより、凹溝１４４内で図示状態に彎曲変形される。
【０１５５】
ここで重要なことは、一対の第２の突条１５１の対向する内面は、支持台１４２外側の両側面と接するようであるが、第１の突条１４９の幅よりも凹溝１４４の対向間の方が広く設定されていることにより、図示されるように第１の突条１４９の両側面と凹溝１４４の対向する内面間には適宜な間隙１５７が形成されることにある。
【０１５６】
それとともに、第１の突条１４９により彎曲変形される補強線４の下方は、凹溝１４４の底面に接するか、ごくわずかな隙間が与えられるよう、凹溝１４４の深さが設定されている。
【０１５７】
すなわち、このような間隙１５７の存在によって補強線４には剪断力による切断作用が働かずに、押し下げによる押圧変形されることになり、補強線４はいずれの方向へも外からの作用力に応じて容易に移動することがなく位置が固定される。
【０１５８】
押圧具１４３の傾斜面１５４により、その上に位置される光フアイバ３に稜線による局部的な接触力が作用することなく、しかも彎曲の曲率を小さくし得るので光フアイバ３への悪影響が軽減される。
【０１５９】
支持台１４２の両外側へ突出する補強線４は、彎曲しないで支持台１４２の取り付け面と並行方向に一致するので、光フアイバケーブル１を取り付け固定するのに好都合なこととなる。
【０１６０】
補強線４は光フアイバケーブル１の場合、支持台１４２の各組の３箇所の横断溝１４６の中央部に挿入するものである。したがって、光フアイバケーブル１のみを考えると、横断溝１４６は１箇所のみで、こと足りるものである。
【０１６１】
また、これらの構成材料は構造用鋼にかぎらず、ステンレス鋼材、あるいは、適宜な硬質アルミニウム合金材などから選択選定することにより、めっきなどの防錆処理をなくすこともなし得る。要すればこのような材料のプレス成型品とすることももちろん可能なことである。
【０１６２】
この光フアイバケーブル固定装置１４１によると、既述の光フアイバケーブル固定装置１０１、１２１に比して小径な貫通孔１０４、１２５を穿孔加工することなく、横断溝１４６なことから、加工形成することが容易であるのみならず、補強線４を横断溝１４６内に挿入配置させるのも、きわめて容易に行ななえる。
【０１６３】
図１３は、本発明光フアイバケーブル固定装置の第６の一実施の形態の分離状態の斜視図である。光フアイバケーブル固定装置１６１は、支持台１６２と押圧具１６３とからなる。
【０１６４】
支持台１６２は、構造用鋼などの中央部に凹溝１６４を有する方形角型の棒材を裁断加工したものでなり、上面１６５に連通するとともに両側面に横断して開口する横断溝１６６が所定間隔に並行し３箇所の組として、３組設けられている。
【０１６５】
凹溝１６４の底面には、横断溝１６６の組を避ける間に取り付け用のねじ孔１６７が２箇所と、両端を平坦面となし、ここに取り付け用孔１６８と、が形成されている。
【０１６６】
押圧具１６３は、同様に構造用鋼などの逆凹型の中央部に第１の突条１６９を有する型材を裁断したものでなり、両側に一対の第２の突条１７１と、上面でもある底面１７２の中央から所定間隔に、２箇所の取り付け用孔１７３と、両側の外縁に添った稜線部分が傾斜面１７４と、に形成されている。
【０１６７】
押圧具１６３の長さは、支持台１６２の横断溝１６６すべてを覆うに足りる長さであるが、支持台１６２よりも短い。しかして、支持台１６２の凹溝１６４内側の対向間の幅は、押圧具１６３の第１の突条１６９を嵌め込むに適した幅に設定されている。
【０１６８】
また、支持台１６２の外側の両側面間の幅は、押圧具１６３の一対の第２の突条１７１内面の対向間の幅が後述するように適宜広く設定されている。
【０１６９】
支持台１６２の上面１６５の面から横断溝１６６の底面位置までの距離は、押圧具１６３の底面１７２の内面から一対の第２の突条１７１の先端面までの距離に、ほぼ等しいか、わずかに短く設定されている。
【０１７０】
また、同じく一対の第２の突条１７１先端までよりも、第１の突条１６９の先端までの距離の方が後述するように短く設定されている。
【０１７１】
以上の構成で、光フアイバケーブル１または２の取り付け固定について、図１４の側断面図を参照して説明する。まず、図（ａ）に示すように、支持台１６２を図示省略の装置ユニットなどの適宜要所に、ねじ１７５（図では見えない）で取り付け用孔１６８を介して取り付け固定する。
【０１７２】
ついで、代表的に光フアイバケーブル１の光フアイバ３を支持台１６２上とするようにして、補強線４を横断溝１６６内に上から嵌め込ませ横断状態として支持台１６２に受け入れさせる。
【０１７３】
横断溝１６６の幅は補強線４を丁度嵌め込ませるに適した幅に設定されていることから、容易に挿入し得る。
【０１７４】
この状態が図（ａ）に示される。すなわち、支持台１６２の両側面からは補強線４が突出されている。
【０１７５】
続いて、図（ｂ）に示されるように、支持台１６２上に押圧具１６３を位置させるのであるが、光フアイバ３が、この押圧具１６３上となるよう、光フアイバ３の下方に挿入させ、２箇所の取り付け用孔１７３にねじ１７６を挿入し支持台１６２のねじ孔１６７にねじ込み、締め付けると、支持台１６２の上面１６５に、押圧具１６３の底面１７２の内面が接して図示状態に位置決めされる。
【０１７６】
押圧具１６３の一対の第２の突条１７１の先端面が、補強線４に接して図示されるように押し下げ、補強線４が変形される。ここで重要なことは、一対の第２の突条１７１の対向間の幅が、支持台１６２外側の両側面間よりも広く設定されていることにあり、一対の第２の突条１７１の内側面と、支持台１６２外側の側面間と、には図示されるように適宜な間隙１７７が形成されることにある。
【０１７７】
それとともに、押圧具１６３の第１の突条１６９先端面が補強線４に接するか、ごくわずかに間隔を隔てた接近位置に設定されていることにより、第２の突条１７１に押圧されることで、補強線４が凹溝１６４内で山形となることが阻止され、適宜に押さえられることで安定した押圧状態となることにある。
【０１７８】
すなわち、このような間隙１７７の存在によって切断作用は働かず、押し下げによる押圧変形されることになり、補強線４はいずれの方向へも外からの作用力に応じて容易に移動することがなく位置が固定される。
【０１７９】
押圧具１６３の傾斜面１７４により、その上に位置される光フアイバ３に稜線による局部的な接触力が作用することなく、しかも彎曲の曲率を小さくし得るので光フアイバ３への悪影響が軽減される。
【０１８０】
補強線４は光フアイバケーブル１の場合、支持台１６２の各組の３箇所の横断溝１６６の中央部に挿入するものである。したがって、光フアイバケーブル１のみを考えると、横断溝１６６は１箇所のみで、こと足りるものである。
【０１８１】
また、これらの構成材料は構造用鋼にかぎらず、ステンレス鋼材、あるいは、適宜な硬質アルミニウム合金材などから選択選定することにより、めっきなどの防錆処理をなくすこともなし得るし、要すればこのような材料のプレス成型品などとすることももちろん可能なことである。
【０１８２】
この光フアイバケーブル固定装置１６１によると、前述の光フアイバケーブル固定装置１４１と同様、横断溝１６６なことから、加工することが容易であり、補強線４を横断溝１６６内に挿入させることも容易である。
【０１８３】
図１５は、上述したようにして、光フアイバケーブル固定装置１０１、１２１、１４１、１６１、に取り付けられる光フアイバケーブル１との平面図が示されるが、図１５では代表的に光フアイバケーブル固定装置１０１と組み合わせた場合として図示し説明する。
【０１８４】
光フアイバケーブル１の補強線４を、光フアイバケーブル固定装置１０１の支持台１０２に設けられた組の貫通孔１０４の中央部に挿入することで、既述したようにして取り付け固定させる状態にすることができる。
【０１８５】
この光フアイバケーブル固定装置１０１によると、３本の光フアイバケーブル１を同時に一括して取り付け固定させることができるが、支持具１０３を締め付けるねじ１１４は、この場合では２本で可能としており、従来に比して構成ならびに取り付け作業が簡易かつ容易であり、その実装スペースについても大幅に減少し得る。
【０１８６】
当然に、より多くの光フアイバケーブル１を取り付け可能にすることも、貫通孔１０４の組数を所望に応じて任意数に設定することによりなし得る。もちろん、光フアイバケーブル固定装置１０１を長さ方向に延在させ、固定ねじ１１４を必要数とすることにより実現し得る。
【０１８７】
図１６は、同じく光フアイバケーブル固定装置１０１、１２１、１４１、１６１、に取り付けられる光フアイバケーブル２との平面図が示されるが、図１６では代表的に光フアイバケーブル固定装置１０１と組み合わせた場合として図示し説明する。
【０１８８】
光フアイバケーブル２の補強線４を、光フアイバケーブル固定装置１０１の支持台１０２に設けられた組の貫通孔１０４それぞれの両側に挿入することで、既述したと同様にして取り付け固定させる状態にすることができる。
【０１８９】
この光フアイバケーブル固定装置１０１によると、３本の光フアイバケーブル２を同時に一括して取り付け固定させることができるが、支持具１０３を締め付けるねじ１１４は、この場合でも、同様に２本で可能としており、従来に比して構成ならびに取り付け作業が簡易かつ容易であり、その実装スペースについても大幅に減少し得る。
【０１９０】
当然に、より多くの光フアイバケーブル２を取り付け可能とすることも、貫通孔１０４の組数を所望に応じて任意数に設定することによりなし得ることは、光フアイバケーブル固定装置１０１を長さ方向に延在させ、固定ねじ１１４を必要数とすることにより実現し得る。
【０１９１】
図１７は、光フアイバケーブル固定装置１０１、１２１、１４１、１６１、に取り付けられる光フアイバケーブル１および２との平面図が示されるが、図１７では代表的に光フアイバケーブル固定装置１０１と組み合わせた場合として図示し説明する。
【０１９２】
光フアイバケーブル１の補強線４を、光フアイバケーブル固定装置１０１の支持台１０２に設けられた貫通孔１０４、３組のうちの中央の組の、中央部に挿入させる。
【０１９３】
光フアイバケーブル２については、その補強線４を、光フアイバケーブル固定装置１０１の支持台１０２に設けられた貫通孔１０４、３組のうちの両側の組それぞれの両側に挿入させる。
【０１９４】
以上のようにした後に、押圧具１０３とねじ１１４とにより、既述したと同様にして取り付け固定させる状態にすることができる。
【０１９５】
この光フアイバケーブル固定装置１０１によると、３本の異なる光フアイバケーブル１および２を同時に一括して取り付け固定させることができるが、支持具を締め付けるねじ１１４は、この場合、同様に２本で可能であり、従来に比して一種類の光フアイバケーブル固定装置１０１なことから、構成ならびに取り付け作業が簡易かつ容易であり、その実装スペースについても大幅に減少し得る。
【０１９６】
当然に、より多くの光フアイバケーブル１、２の組み合わせに応じての取り付けを可能とすることも、貫通孔１０４の組数を所望に応じて任意数に設定することによりなし得ることは、光フアイバケーブル固定装置１０１を長さ方向に延在させ、固定ねじ１１４を必要数とすることにより実現し得る。
【０１９７】
図１７における光フアイバケーブル１と２との配置は一例であり、その組み合わせ配置位置を必要に応じて任意に設定し得ることは、容易に理解されようことから、ここで、あらためての説明は行なわない。
【０１９８】
以上のようなことは、光フアイバケーブル固定装置１０１について代表的に説明したが、既述したその他の各光フアイバケーブル固定装置１２１、１４１、１６１、それぞれについて各図に置き換えるとともに各図に関する説明を参照することにより、図１５ないし図１７のように実施し得ることは、あえて詳細説明するまでもなく可能なことを理解されよう。
【０１９９】
図１８は、本発明光フアイバケーブル固定装置の第７の一実施の形態の分離状態の斜視図である。光フアイバケーブル固定装置１８１は、支持台１８２と押圧具１８３とからなる。
【０２００】
支持台１８２は、構造用鋼などの中央部に凹溝１８４を有する方形角型の棒材を裁断したものでなり、側面には、両側面に凹溝１８４をとおって貫通する貫通孔１８５と、この貫通孔１８５の両側には、上面１８６に連通するとともに両側面に横断し開口する横断溝１８７と、が所定間隔に並行する組として、３組設けられている。
【０２０１】
貫通孔１８５には、両面に開口する円錐形の面取りが施されており、横断溝１８７は、凹溝１８４の底面よりも後述する理由にもとづく深い位置にまで形成されている。
【０２０２】
凹溝１８４の底面には、貫通孔１８５と横断溝１８７との組を避ける間に取り付け用のねじ孔１８８が２箇所と、両端に取り付け用孔１８９と、が形成されている。
【０２０３】
押圧具１８３は、同様に構造用鋼などの逆凹型の中央部に第１の突条１９１を有する型材を裁断したもので、両側に一対の第２の突条１９２と、上面でもある底面１９３の中央から所定間隔に、２箇所の取り付け用孔１９４と、両側の外縁に添った稜線部分が傾斜面１９５と、に形成されてなる。
【０２０４】
押圧具１８３の長さは、支持台１８２すべての貫通孔１８５を覆うに足りる長さであるが、支持台１８２よりも短い。しかして、支持台１８２の凹溝１８４内側の対向間の幅よりも、押圧具１８３の第１の突条１９１の幅の方が後述するように適宜薄く設定されている。
【０２０５】
また、支持台１８２外側の両側面間の幅は、押圧具１８３の一対の第２の突条１９２の対向間を嵌め込むに適した幅に設定されている。
【０２０６】
支持台１８２の上面１８６の面から貫通孔１８５の位置までの距離よりも、押圧具１８３の底面１９３の内面から第１の突条１９１の先端面までの距離の方が、後述するように長く設定されている。
【０２０７】
図１９は、本発明光フアイバケーブル固定装置の第８の一実施の形態の分離状態の斜視図である。光フアイバケーブル固定装置２０１は、支持台２０２と押圧具２０３とからなる。
【０２０８】
支持台２０２は、構造用鋼などの中央部に凹溝２０４を有する方形角型の棒材を裁断したものでなり、側面には、両側面に凹溝２０４をとおって貫通する２箇所の貫通孔２０５と、この２箇所の貫通孔２０５の中央には、上面２０６に連通するとともに両側面に横断し開口する横断溝２０７と、が所定間隔に並行し、これら２箇所の貫通孔２０５と１箇所の横断溝２０７とを組として、３組設けられている。
【０２０９】
貫通孔２０５には、両面に開口する円錐形の面取りが施されており、横断溝２０７は、凹溝２０４の底面よりも後述する理由にもとづく深い位置にまで形成されている。
【０２１０】
凹溝２０４の底面には、貫通孔２０５と横断溝２０７との組を避ける間に取り付け用のねじ孔２０８が２箇所と、両端に取り付け用孔２０９と、が形成されている。
【０２１１】
押圧具２０３は、同様に構造用鋼などの逆凹型の中央部に第１の突条２１１を有する型材を裁断したもので、両側に一対の第２の突条２１２と、上面でもある底面２１３の中央から所定間隔に、２箇所の取り付け用孔２１４と、両側の外縁に添った稜線部分が傾斜面２１５と、に形成されてなる。
【０２１２】
押圧具２０３の長さは、支持台２０２すべての貫通孔２０５を覆うに足りる長さであるが、支持台２０２よりも短い。しかして、支持台２０２の凹溝２０４内側の対向間の幅よりも、押圧具２０３の第１の突条２１１の幅の方が後述するように適宜薄く設定されている。
【０２１３】
また、支持台２０２外側の両側面間の幅は、押圧具２０３の一対の第２の突条２１２の対向間を嵌め込むに適した幅に設定されている。
【０２１４】
支持台２０２の上面２０６の面から貫通孔２０５の位置までの距離よりも、押圧具２０３の底面２１３の内面から第１の突条２１１の先端面までの距離の方が、後述するように長く設定されている。
【０２１５】
図２０は、図１８で説明の光フアイバケーブル固定装置１８１、または図１９で説明の光フアイバケーブル固定装置２０１、に光フアイバケーブル１または２を取り付けることについての説明用の側断面図であるが、理解を容易とするために代表的に、光フアイバケーブル１と光フアイバケーブル固定装置１８１とを組み合わせ取り付けることについて説明する。
【０２１６】
まず、図１８および図２０の図（ａ）を参照し、支持台１８２を図示省略の装置ユニットなどの適宜要所に、図示しないねじで取り付け用孔１８９を介して取り付け固定する。
【０２１７】
ついで、光フアイバケーブル１の光フアイバ３を支持台１８２の横断溝１８７へ上面１８６の開口から挿入させるとともに、補強線４を貫通孔１８５内に挿入し横断状態として受け入れさせる。
【０２１８】
貫通孔１８５の大きさは補強線４を丁度嵌まり込ませるに適した直径であるが、開口する円錐形の面取りにより容易に挿入し得る。なお、円錐形の面取りが両側に施してあるのは、支持台１８２の取り付け方向を特定しないよう可逆的に可能なよう配慮されていることである。
【０２１９】
続いて、支持台１８２上に押圧具１８３を位置させ、２箇所の取り付け用孔１９４にねじ１９６を挿入し支持台１８２のねじ孔１８８にねじ込み、締め付けると、支持台１８２の上面１８６に、押圧具１８３の底面１９３の内面が接して図示状態に位置決めされる。
【０２２０】
押圧具１８３の一対の第２の突条１９２の先端面は補強線４に接するか、接しない図示状態に位置するとともに、第１の突条１９１は補強線４と接して、補強線４を押し下げている。
【０２２１】
補強線４は凹溝１８４の両側の貫通孔１８５により、その位置が規定されることから第１の突条１９１で押し下げられることにより、凹溝１８４内で図示状態に彎曲変形される。
【０２２２】
ここで重要なことは、一対の第２の突条１９２の対向する内面は、支持台１８２外側の両側面と接するようであるが、第１の突条１９１の幅よりも凹溝１８４の対向間の方が広く設定されていることにより、図示されるように第１の突条１９１の両側面と凹溝１８４の対向する内面間には適宜な間隙１９７が形成されることにある。
【０２２３】
それとともに、第１の突条１９１により彎曲変形される補強線４の下方は、凹溝１８４の底面に接するか、ごくわずかな隙間が与えられるよう、凹溝１８４の深さが設定されている。
【０２２４】
すなわち、このような間隙１９７の存在によって補強線４には剪断力による切断作用が働かずに、押し下げによる彎曲変形されることになり、補強線４はいずれの方向へも外からの作用力に応じて容易に移動することがなく位置が固定される。
【０２２５】
一方、横断溝１８７に挿入配置された光フアイバ３は、その位置での断面図である図（ｂ）から明らかなように、横断溝１８７の深さが凹溝１８４の底面よりも深く設定されていることにより、第１の突条１９１と接することなく、第１の突条１９１下面とは十分な隙間を有している。
【０２２６】
なお、図（ｂ）には図示すると煩雑となることから、理解容易なように凹溝１８４内における補強線４を図示省略して示してある。
【０２２７】
この横断溝１８７の幅は、光フアイバ３の直径よりも適宜な余裕があるように大きく設定されているので、光フアイバ３は拘束されることなく横断溝１８７内を自在に移動可能でもある。
【０２２８】
図からも明らかなように、この光フアイバケーブル固定装置１８１によれば、光フアイバ３と補強線４とは側面視で同様な経路を経ることから、光フアイバ３の彎曲する曲率を大幅に低減させることが可能となる。
【０２２９】
光フアイバ３が押圧具１８３上に配置されないことから、押圧具１８３の着脱に格別な配慮を要することなく取り付けの作業性を良好なものとなし得る。
【０２３０】
図１９の光フアイバケーブル固定装置２０１は、光フアイバケーブル２を取り付けるに使用されるものであり、光フアイバケーブル２の光フアイバ３は光フアイバケーブル固定装置２０１の横断溝２０７内に挿入配置させ、補強線４は貫通孔２０５内に挿入して、それぞれ受け入れさせることにより取り付け得る。
【０２３１】
この取り付けについても、図２０を参照して、それぞれ対応する構成要素部分の箇所の符号を対応させて読み替えるか、書き換えるかして対応させることにより、容易に理解されよう。たとえば、符号１は２に、１８１は２０１に、１８２は２０２に、１８３は２０３に、などであり、その作用、効果については同じである。
【０２３２】
また、これらの構成材料は構造用鋼にかぎらず、ステンレス鋼材、あるいは、適宜な硬質アルミニウム合金材などから選択選定することにより、めっきなどの防錆処理をなくすこともなし得る。要すればこのような材料のプレス成型品などとすることももちろん可能なことである。
【０２３３】
図２１は、本発明光フアイバケーブル固定装置の第９の一実施の形態の分離状態の斜視図である。光フアイバケーブル固定装置２２１は、支持台２２２と押圧具２２３とからなる。
【０２３４】
支持台２２２は、構造用鋼などの中央部に凹溝２２４を有する方形角型の棒材を裁断したものでなり、側面には、上面２２５に連通するとともに両側面に開口する第１の横断溝２２６と、この第１の横断溝２２６の両側にそれぞれ所定間隔隔てて第２の横断溝２２７と、が並行する組として、３組設けられている。
【０２３５】
上面２２５からの、第１の横断溝２２６の深さは凹溝２２４の底面に所定距離有して到らない深さであり、第２の横断溝２２７の深さは凹溝２２４の底面よりも後述する理由にもとづく深い位置にまで形成されている。
【０２３６】
凹溝２２４の底面には、第１、第２の横断溝２２６、２２７の組を避ける間に取り付け用のねじ孔２２８が２箇所と、両端に取り付け用孔２２９と、が形成されている。
【０２３７】
押圧具２２３は、同様に構造用鋼などの逆凹型の中央部に第１の突条２３１を有する型材を裁断したもので、両側に一対の第２の突条２３２と、上面でもある底面２３３の中央から所定間隔に、２箇所の取り付け用孔２３４と、両側の外縁に添った稜線部分が傾斜面２３５と、に形成されてなる。
【０２３８】
押圧具２２３の長さは、支持台２２２すべての第１の横断溝２２６を覆うに足りる長さであるが、支持台２２２よりも短い。しかして、支持台２２２の凹溝２２４内側の対向間よりも、押圧具２２３の第１の突条２３１の幅の方が後述するように適宜薄く設定されている。
【０２３９】
また、支持台２２２外側の両側面間の幅は、押圧具２２３の一対の第２の突条２３２の対向間を嵌め込むに適した幅に設定されている。
【０２４０】
支持台２２２の上面２２５の面から第１の横断溝２２６の底面位置までの距離は、押圧具２２３の底面２３３の内面から第１の突条２３１の先端面までの距離に、ほぼ等しいか、わずかに短く設定されている。
【０２４１】
第１の突条２３１先端までの距離よりも、一対の第２の突条２３２先端までの距離の方が後述するように短く設定されている。
【０２４２】
図２２は、本発明光フアイバケーブル固定装置の第１０の一実施の形態の分離状態の斜視図である。光フアイバケーブル固定装置２４１は、支持台２４２と押圧具２４３とからなる。
【０２４３】
支持台２４２は、構造用鋼などの中央部に凹溝２４４を有する方形角型の棒材を裁断したものでなり、側面には、上面２４５に連通するとともに両側面に所定間隔で開口する２箇所の第１の横断溝２４６と、この第１の横断溝２４６の２箇所間の中央部に同様な第２の横断溝２４７と、が並行して、３組設けられている。
【０２４４】
しかしながら、上面２４５からの、第１の横断溝２４６の深さは凹溝２４４の底面に所定距離有して到らない深さであり、第２の横断溝２４７の深さは凹溝２４４の底面よりも後述する理由にもとづく深い位置にまで形成されている。
【０２４５】
凹溝２４４の底面には、第１、第２の横断溝２４６、２４７の組を避ける間に取り付け用のねじ孔２４８が２箇所と、両端に取り付け用孔２４９と、が形成されている。
【０２４６】
押圧具２４３は、同様に構造用鋼などの逆凹型の中央部に第１の突条２５１を有する型材を裁断したもので、両側に一対の第２の突条２５２と、上面でもある底面２５３の中央から所定間隔に２箇所の取り付け用孔２５４と、両側の外縁に添った稜線部分が傾斜面２５５と、に形成されてなる。
押圧具２４３の長さは、支持台２４２すべての第１の横断溝２４６を覆うに足りる長さであるが、支持台２４２よりも短い。しかして、支持台２４２の凹溝２４４内側の対向間よりも、押圧具２４３の第１の突条２５１の幅の方が後述するように適宜薄く設定されている。
【０２４７】
また、支持台２４２外側の両側面間の幅は、押圧具２４３の一対の第２の突条２５２の対向間を嵌め込むに適した幅に設定されている。
【０２４８】
支持台２４２の上面２４５の面から第１の横断溝２４６の底面位置までの距離は、押圧具２４３の底面２５３の内面から第１の突条２５１の先端面までの距離に、ほぼ等しいか、わずかに短く設定されている。
【０２４９】
第１の突条２５１先端までの距離よりも、一対の第２の突条２５２先端までの距離の方が後述するように短く設定されている。
【０２５０】
図２３は、図２１で説明の光フアイバケーブル固定装置２２１、または図２２で説明の光フアイバケーブル固定装置２４１、に光フアイバケーブル１または２を取り付けることについての説明用の側断面図であるが、理解を容易とするために代表的に、光フアイバケーブル１と光フアイバケーブル固定装置２２１とを組み合わせ取り付けることについて説明する。
【０２５１】
まず、図２１および図２３の図（ａ）を参照し、支持台２２２を図示省略の装置ユニットなどの適宜要所に、図示しないねじで取り付け用孔２２９を介して取り付け固定する。
【０２５２】
ついで、光フアイバケーブル１の光フアイバ３を支持台２２２の第２の横断溝２２７へ上面の開口から挿入させるとともに、補強線４も第１の横断溝２２６内へ同様にして挿入させ、ともに横断状態として受け入れさせる。
【０２５３】
第１の横断溝２２６の幅は補強線４を丁度嵌め込ませるに適した幅に設定されていることから、容易に挿入し得る。
【０２５４】
続いて、支持台２２２上に押圧具２２３を位置させ、２箇所の取り付け用孔２３４にねじ２３６を挿入し支持台２２２のねじ孔２２８にねじ込み、締め付けると、支持台２２２の上面２２５に、押圧具２２３の底面２３３の内面が接して図示状態に位置決めされる。
【０２５５】
押圧具２２３の一対の第２の突条２３２の先端面が、支持台２２２の両側に突出する補強線４に丁度接するとともに、第１の突条２３１は補強線４と接して、補強線４を押し下げている。
【０２５６】
補強線４は支持台２２２の両側で第１の横断溝２２６の底面と、一対の第２の突条２３２の先端面と、によりその位置が規定されることから、第１の突条２３１で押し下げられることにより、凹溝２２４内で図示状態に彎曲変形される。
【０２５７】
ここで重要なことは、一対の第２の突条２３２の対向する内面は、支持台２２２外側の両側面と接するようであるが、第１の突条２３１の幅よりも凹溝２２４の対向間の方が広く設定されていることにより、図示されるように第１の突条２３１の両側面と凹溝２２４の対向する内面間には適宜な間隙２３７が形成されることにある。
【０２５８】
それとともに、第１の突条２３１により彎曲変形される補強線４の外方は、凹溝２２４の底面に接するか、ごくわずかな隙間が与えられるよう、凹溝２２４の深さが設定されている。
【０２５９】
すなわち、このような間隙２３７の存在によって補強線４には剪断力による切断作用が働かずに、押し下げによる彎曲変形されることになり、補強線４はいずれの方向へも外からの作用力に応じて容易に移動することがなく位置が固定される。
【０２６０】
一方、第２の横断溝２２７に挿入配置された光フアイバ３は、その位置での断面図である図（ｂ）から明らかなように、第２の横断溝２２７の深さが凹溝２２４の底面よりも深く設定されていることにより、第１の突条２３１と接することなく、第１の突条２３１の下面とは十分な隙間を有している。
【０２６１】
なお、図（ｂ）には図示すると煩雑となることから、理解容易なように凹溝２２４内における補強線４を図示省略して示してある。
【０２６２】
この第２の横断溝２２７の幅は、光フアイバ３の直径よりも適宜な余裕があるように大きく設定されているので、光フアイバ３は拘束されることなく第２の横断溝２２７内を自由に移動可能でもある。
【０２６３】
図からも明らかなように、この光フアイバケーブル固定装置２２１によれば、光フアイバ３と補強線４とは側面視で同様な経路を経ることから、光フアイバ３を彎曲する曲率を大幅に低減させることが可能となる。
【０２６４】
光フアイバ３が押圧具２２３上に配置されないことから、押圧具２２３の着脱に格別な配慮を要することなく取り付けの作業性を良好なものとなし得る。
【０２６５】
図２２の光フアイバケーブル固定装置２４１は、光フアイバケーブル２を取り付けるに使用されるものであり、光フアイバケーブル２の光フアイバ３は光フアイバケーブル固定装置２４１の第２の横断溝２４７内に挿入配置させ、補強線４は第１の横断溝２４６内に上面２４５の開口から挿入して、それぞれ受け入れさせることにより取り付け得る。
【０２６６】
この取り付けについても、図２３を参照して、それぞれ対応する構成要素部分の箇所の符号を対応させて読み替えるか、書き換えるかして対応させることにより、容易に理解されよう。たとえば、符号１は２に、２２１は２４１に、２２２は２４２に、２２３は２４３に、などであり、その作用、効果については同じである。
【０２６７】
また、これらの構成材料は構造用鋼にかぎらず、ステンレス鋼材、あるいは、適宜な硬質アルミニウム合金材などから選択選定することにより、めっきなどの防錆処理をなくすこともなし得る。要すればこのような材料のプレス成型品などとすることももちろん可能なことである。
【０２６８】
図２４を参照すると、従来と同様の光フアイバケーブル１が接続される伝送装置ユニット２６１の概略の要部平面図が、カバーを開放した状態に示される。
【０２６９】
図２４において、筐体２６２の内部に、光信号を電気信号に変換する光受光モジュールまたは、電気信号を光信号に変換する光発光モジュールなどの、光モジュール３３が取り付けられており、３本の光フアイバケーブル１をそれぞれに係止固定する光フアイバケーブル固定装置１０１がねじ１１３で取り付けられている。
【０２７０】
光フアイバケーブル固定装置１０１は、図７ならびに図８を参照して説明のとおりであり、光フアイバケーブル１の補強線４を固定しており、それぞれの光フアイバ３が光フアイバケーブル固定装置１０１の上部を経由し余長処理部３５において、光フアイバ３の許容巻回半径３ｃｍ以上の巻回直径となるように巻回保持される。
【０２７１】
光モジュール３３には、光フアイバ３６の接続された光コネクタ３７が着脱可能に接続されているが、この光フアイバ３６と光フアイバケーブル１の光フアイバ３とは、融着により接続されたスプライス接続部３８が筐体２６２に保持固定されている。
【０２７２】
図示左方の部分は電源ユニット４１の収容部であり、その他の符号、４２は商用の電源線、４３、４４、４５、などは、その他の光コネクタ、操作部品、同軸コネクタ、などである。
【０２７３】
図２５を参照すると、上記伝送装置ユニット２６１に光フアイバケーブル２が接続される状態の、同様の平面図が示される。したがって、３本の光フアイバケーブル２の補強線４が図１６で既述したように、補強線４が光フアイバケーブル固定装置１０１に固定される。
【０２７４】
それぞれの光フアイバ３が光フアイバケーブル固定装置１０１の上部を経由し余長処理分３５において、同様に巻回保持される。その他の構成部分は同じであることから同一符号を付し、ここでの説明を省略する。
【０２７５】
図２４における光フアイバケーブル固定装置１０１の取り付け領域が占めるスペースについて、図２６の要部斜視図を参照して説明すると、筐体２６２は一体の合成樹脂成型品でなり、光フアイバケーブル１の位置される部分が、周囲を切り欠き状態として光フアイバケーブル取り付け用突出片２６３に成型されるとともに、光フアイバケーブル固定装置１０１の取り付け部分との間に位置決め用突条２６４が形成される。
【０２７６】
光フアイバケーブル１の被覆５部分は光フアイバケーブル取り付け用突出片２６３上に位置され、バンド３９で締め付け固定される。この際、被覆５部分の先端面は位置決め用突条２６４に接して位置決め整列される。
【０２７７】
光フアイバケーブル１から導出延在される光フアイバ３および補強線４は、図８ならびに図１６を参照して説明のとおりに光フアイバケーブル固定装置１０１により位置決め保持される。
【０２７８】
このような組み合わせとすることにより、光フアイバケーブル取り付け用突出片２６３部分を含めた、その幅Ｗ2 は５５ｍｍ程度、奥行き方向の長さＬ2 は３５ｍｍ程度、となり、従来に比して大幅な実装スペースの減少を図ることができる。もちろん、光フアイバケーブル１を光フアイバケーブル２にしたとしても同様なことであり、そのような光フアイバケーブルを混在組み合わせさせても、もちろん同様である。
【０２７９】
本実施の形態によると、理解を容易とするために、光フアイバケーブル固定装置１０１について代表的に説明したが、このようなことに限定されるものではなく、既述したすべての光フアイバケーブル固定装置１２１、１４１、１６１、１８１、２０１、２２１、２４１、など、すべてについて適用し得ることはもちろんのことであり、同様の作用、効果を奏し得る。
【０２８０】
図２７は、本発明にかかる光フアイバケーブル保持装置２７１が斜視図に示される。光フアイバケーブル保持装置２７１は適宜な金属板をプレス装置により加工形成されるものであるが、高強度な合成樹脂成型品ともなし得る。
【０２８１】
中央部に取り付け面２７２と、一側にこの取り付け面２７２とは一段高い固定装置取り付け面２７３と、他の一側に同様のケーブル保持部２７４と、が並行して形成される。
【０２８２】
取り付け面２７２の左右両端には取り付け用孔２７５が設けられており、固定装置取り付け面２７３上には左右方向の直線上中央部分２箇所に貫通孔２７６と両端にねじ孔２７７とが設けられ、先端には脚部２７８が形成されている。
【０２８３】
ケーブル保持部２７４は、全体として取り付け面２７２側が高く先端側が低くなるように傾斜面であり、先端側に細くくびれたケーブル取り付け部２７９が並行して３箇所と、このケーブル取り付け部２７９と対応して取り付け面２７２側に位置決め用突起２８１と、が形成されている。
【０２８４】
このケーブル保持装置２７１と光フアイバケーブル１との取り付けられる状態が、図２８に示される。図２８の図（ａ）は平面図、図（ｂ）は側面図、である。
【０２８５】
固定装置取り付け面２７３上に、図１２で説明のように光フアイバケーブル固定装置１４１の支持台１４２を、ねじ孔２７７にねじ１５５をねじ込み取り付け固定しておき、取り付け面２７２の取り付け用孔２７５にねじ２８２を挿入し、図示省略の装置ユニットなどの適宜要所に取り付け固定する。
【０２８６】
この後は、図１２を参照して説明のようにして光フアイバケーブル１を、光フアイバケーブル固定装置１４１に取り付け固定させることは同様である。
【０２８７】
同時に、光フアイバケーブルの被覆部分５をケーブル取り付け部２７９上に位置させるのであるが、位置決め用突起２８１に端面を当てて位置決めするとともに、ケーブル取り付け部２７９とにバンド３９を巻き付け、締め付けて位置決め固定させる。
【０２８８】
このようにする光フアイバケーブル保持装置２７１による光フアイバケーブル１の取り付けは、図２６で説明のように筐体２６２側などに被覆５部分を固定するための格別な構成を必要とすることなく、各種装置の任意位置への光フアイバケーブルの取り付けを可能とするものである。
【０２８９】
ケーブル保持部２７４を傾斜姿勢とすることと、固定装置取り付け面２７３との相対高さを調整設定することにより、支持線４を適正な彎曲状態として固定し得ることと、光フアイバケーブル固定装置１４１上を延在させる光フアイバ３の彎曲の曲率を低減することも可能となる。
【０２９０】
脚部２７８により、ねじ１５５、１５６の着脱の際の押圧力を安定に支持する。固定装置取り付け面２７３の貫通孔２７６は、ねじ１５６の先端突出用の逃げ孔である。
【０２９１】
この光フアイバケーブル保持装置２７１についても、光フアイバケーブル２ならびに光フアイバケーブル１との混在する組み合わせに適用し得るし、その他の光フアイバケーブル固定装置１０１ないし２４１などに対しても、もちろん適用し得るものである。
【０２９２】
図２９は、図２８の光フアイバケーブル保持装置２７１と同様の構成であるが、固定装置取り付け面２７３先端の脚部２７８の高さを低くし前方へ傾斜させたことにある。
【０２９３】
このような低い位置姿勢と傾斜姿勢とすることにより、光フアイバケーブル固定装置１４１に対する支持線４の彎曲姿勢を緩和させることと、光フアイバ３の彎曲の曲率を一層低減し得る。
【０２９４】
図３０は、本発明光フアイバケーブル固定装置の第１１の一実施の形態の分離状態の斜視図である。光フアイバケーブル固定装置２９１は、本体２９２と、押圧具２９３と、保持具２９４と、からなる。
【０２９５】
本体２９２は、適宜厚さの硬質な鋼板たとえば、板ばね材、あるいはばね用ステンレス鋼板、などからなり、プレス加工による成型後に、焼入れなどによる硬化熱処理が施される。
【０２９６】
この本体２９２は、底面２９５の先端側が直角に起立され、その起立面２９６の先端には光フアイバケーブルの補強線４を受け入れる所定深さの切り欠き溝２９７が所定間隔に３箇所の組として３組設けられる。また、底面２９５には左右方向の２箇所に貫通孔２９８が形成される。
【０２９７】
起立面２９６の他端側が折り返され、切り欠き溝２９７の上面を覆う押さえ面２９９として延在され、その先端は折り曲げ面３０１として補強構造部分としてなる。
【０２９８】
押さえ面２９９の折り返し側は３箇所の窓孔３０２として開口され、４箇所の連結条３０３により連結される。
【０２９９】
押さえ面２９９には、底面２９５の貫通孔２９８と対応して同様の貫通孔３０４が設けられ、窓孔３０２との間には２箇所に抜き曲げによる折り曲げ突起３０５が底面２９５側に向けて形成される。
【０３００】
押圧具２９３は、適宜な強度を有する金属板を逆凹型に折り曲げ加工されたもので、その両側の突条３０６の先端面には、本体２９２の切り欠き溝２９７と対応するように、それぞれに比較的浅い切り欠き溝３０７が、やはり３箇所の組として３組形成される。上面３０８には本体２９２の貫通孔３０４と対応して、貫通孔３０９が設けられる。
【０３０１】
なお、押圧具２９３の両突条３０６間外側の幅は、本体２９２の折り曲げ面３０１と折り曲げ突起３０５との対向間にほぼ等しく設定されており、この間に丁度嵌まり込ませることができる。
【０３０２】
保持具２９４も、同様な金属板から加工されたもので取り付け面３１１から延びて折り曲げにより持ち上げられた面が、先端側が下降する傾斜面にくびれによるケーブル取り付け部３１２として、３箇所並行に形成される。
【０３０３】
取り付け面３１１は図示されるように折り返されて２重となっているが、これは左右方向に直列するねじ孔３１３のねじ長さ確保のためであり、両端に取り付け用孔３１４が形成される。
【０３０４】
この光フアイバケーブル固定装置２９１に、光フアイバケーブル１を取り付けることについて図３１の側断面図を参照して説明すると、まず、図（ａ）に示されるように、本体２９２の押さえ面２９９の下側に押圧具２９３を挿入させ起立面２９６と対向させる。
【０３０５】
押圧具２９３は本体２９２の折り曲げ面３０１と折り曲げ突起３０５との間に挟まれる状態となり位置決めされる。
【０３０６】
ついで、本体２９２と押圧具２９３の貫通孔３０４、３０９、２９８にねじ３１５を挿通させるとともに、その下方に保持具２９４を位置させ、保持具２９４のねじ孔３１３にねじ込ませる。
【０３０７】
この状態までは、図示されるように、光フアイバケーブル１を挿入配置させるものではなく、単に光フアイバケーブル固定装置２９１を前段階の組み立て状態とすることにある。
【０３０８】
本体２９２の連結条３０３は、貫通孔３０４、３０９を大径にするとともに、そのばね弾性により図示されるように押さえ面２９９を上昇傾斜姿勢に設定形成させておくことは、組み立てならびに光フアイバケーブル１を挿入配置させるのに好都合なことである。
【０３０９】
このように、光フアイバケーブル固定装置２９１を組み立て状態とするのに、本体２９２の押さえ面２９９と押圧具２９３の上面３０８との間に接着材、たとえば公知な両面接着テープなどを配置介在させることで一体的に固定される。
【０３１０】
このようなことは、本体２９２の底面２９５の下面と、保持具２９４の取り付け面３１１の上面と、の間についても同様であり固定状態として一体化し取り扱い性を良好にし得る。
【０３１１】
この状態で、保持具２９４の両端の取り付け用孔３１４にねじ３１６（図では見えない）を挿入し、図示省略の装置ユニットなどの適宜要所にねじ込み取り付け固定する。装置ユニット側には光フアイバケーブル固定装置２９１組み立て用のねじ３１５先端を挿入させるための、逃げ孔を形成しておくことが必要である。
【０３１２】
光フアイバケーブル１の補強線４を本体２９２の窓孔３０２から挿入し、切り欠き溝２９７の組の中央部を選択して挿入位置とし、押圧具２９３の前後両側の切り欠き溝３０７をも通過するようにして前方に突出させ横断状態とする。両切り欠き溝２９７、３０７の溝幅は補強線４を丁度受け入れるに適した幅に設定されているので、逸脱するようなことなく直線状態に位置決めされる。
【０３１３】
この際、光フアイバ３を窓孔３０２の上側としておき、本体２９２の上面を横断延在させる。この状態が図（ａ）の状態である。
【０３１４】
この状態で、ねじ３１５を締め付けることにより、押さえ面２９９とともに押圧具２９３が下降され、その前後の切り欠き溝３０７により、本体２９２の切り欠き溝２９７を支点として補強線４の両側が彎曲変形される。
【０３１５】
すなわち、本体２９２の切り欠き溝２９７の底面と、押圧具２９３の切り欠き溝３０７の底面と、の関係はこのように設定されている。したがって、ねじ３１５の締め付けにより図（ｂ）に図示されるように補強線４が側面視蛇行状態に彎曲され、補強線４はいずれの方向へも外からの作用力に応じて容易に移動することがなく位置決め固定される。
【０３１６】
この光フアイバケーブル固定装置２９１によると、光フアイバケーブル１の補強線４を挿入させるのが、切り欠き溝２９７内であることから挿入作業が容易であるのみならず、全体として一体構成になし得るので小型化が容易であり、取り扱い性も良好なものである。
【０３１７】
本体２９２には窓孔３０２を設けることにより、光フアイバケーブルの補強線４を挿入させることが容易であるのみならず、連結条３０３の幅と形状とを適宜に設定することにより、本体２９２の板厚さを適切となし得るとともに、押さえ面２９９の彎曲傾動させる弾性変形を任意かつ容易なものとなし得ることである。
【０３１８】
図３２の図（ａ）は、上述したようにして、光フアイバケーブル固定装置２９１に取り付けられる３本の光フアイバケーブル１との平面図が示される。光フアイバケーブル１の補強線４を、光フアイバケーブル固定装置２９１の本体２９２に設けられた組の切り欠き溝２９７の中央部に挿入することで、上述したようにして取り付け固定させる状態にすることができる。
【０３１９】
光フアイバケーブル１は、図３１の図（ｂ）からも明らかなように、被覆部５がケーブル取り付け部３１２上に位置することから、バンド３９によりケーブル取り付け部３１２とともに締め付けて固定させることができる。
【０３２０】
この光フアイバケーブル固定装置２９１によると、３本の光フアイバケーブル１を同時に一括して取り付け固定させることができるが、全体として必要とするねじ３１５、３１６の本数を、従来に比して大幅に少なくし得るし、構成ならびに取り付け作業が簡易かつ容易であり、その実装スペースも減少し得る。
【０３２１】
当然に、より多くの光フアイバケーブル１を取り付け可能にすることも、切り欠き溝２９７、３０７の組数を所望に応じて任意数に設定することによりなし得る。もちろん、光フアイバケーブル固定装置２９１を左右方向の長さを延在させ、締め付けねじ３１５を必要数とすることにより実現し得る。
【０３２２】
図（ｂ）は、同じく光フアイバケーブル固定装置２９１に取り付けられる光フアイバケーブル２との平面図が示される。光フアイバケーブル２の補強線４を、光フアイバケーブル固定装置２９１本体２９２の組の切り欠き溝２９７それぞれの両側に挿入させることで、上述したと同様にして取り付け固定させる状態にすることができる。
【０３２３】
このように光フアイバケーブル２の取り付け固定させることについての作用、効果については同じであるが、当然に、より多くの光フアイバケーブル２を取り付けることも、光フアイバケーブル１との混在組み合わせることについても任意に応じ得ることである。
【０３２４】
本発明にかかる光フアイバケーブルは、図示形態に限定されるものではなく、同様構成の光フアイバ３と補強線４との組み合わせになるものであれば、その光フアイバ３と補強線４との本数や直径にかかわりなく、任意のものに適用可能なことはいうまでもなく含まれることである。
【０３２５】
【発明の効果】
以上、詳細に説明のように、本発明光フアイバケーブル固定装置による第１の手段によると、基本的に、光フアイバケーブルの補強線を支持台に横断状態に受け入れさせ、支持台の両側に突出する補強線を押圧具で押圧変形させるものであるから、確実な押圧状態とし得る。複数本の補強線に対しても一括固定することが可能である。
【０３２６】
本発明第２の手段によると、光フアイバケーブルの補強線を支持台の貫通孔内に挿入して横断状態に受け入れさせ、支持台の両側に突出する補強線を押圧具で押圧変形させるものであるから、確実な押圧状態にし得る。複数本の補強線に対しても一括固定することが可能である。
【０３２７】
本発明第３の手段によると、光フアイバケーブルの補強線を支持台の長手方向の凹溝内を横断状態として支持台に受け入れさせ、押圧具の第１の突条および、または第２の突条によって、支持台の凹溝内および、または支持台の両外側で補強線を押圧変形させるので、確実な押圧状態になし得る。複数本の補強線に対しても同様である。
【０３２８】
本発明第４の手段によると、手段１ないし手段３の支持台には、補強線の受け入れ箇所を少なくとも１箇所とすることにあり、補強線が１本の光フアイバケーブル単体に最低限対応可能になし得る。もちろん、複数本の補強線についても対応が可能である。
【０３２９】
本発明第５の手段によると、手段１ないし手段３の支持台には、異なる種類の光フアイバケーブルの補強線数に対応可能とするので、補強線が１本のものと複数本とに対して対応可能なことから、一種類で任意な組み合わせに応じ得ることができる。
【０３３０】
本発明第６の手段によると、手段１ないし手段３の支持台に、光フアイバケーブルの光フアイバを横断状態に受け入れさせる横断溝を設けることから、光フアイバは押圧具で押圧されることなく補強線のみが押圧変形されるとともに、光フアイバと補強線とが、側面視で同様経路上となり作業性が向上し、光フアイバの曲げ曲率を低減し得る。
【０３３１】
本発明第７の手段によると、本体の一端の切り欠き溝に光フアイバケーブルの補強線を受け入れさせ、この上を覆う本体の押さえ面とともに押さえ具の両端で、補強線を押圧変形させることから、確実な押圧状態にし得る。複数本の補強線に対しても同様であり、簡易にしてコンパクトになし得るものである。
【０３３２】
このように、簡易構成にして実装スペースを最小限として、光フアイバケーブル単位に、または複数本の光フアイバケーブルの補強線を固定可能とし得る実用上の効果は、きわめて顕著なものである。
【図面の簡単な説明】
【図１】本発明光フアイバケーブル固定装置第１の一実施形態の分離状態斜視図である。
【図２】光フアイバケーブルを図１の光フアイバケーブル固定装置に取り付ける手順説明の側断面図である。
【図３】本発明光フアイバケーブル固定装置第２の一実施形態の分離状態斜視図である。
【図４】光フアイバケーブルを図３の光フアイバケーブル固定装置に取り付ける手順説明の側断面図である。
【図５】光フアイバケーブルが光フアイバケーブル固定装置に取り付けられた状態の平面図である。
【図６】本発明にかかる光フアイバケーブル保持装置である。
【図７】本発明光フアイバケーブル固定装置第３の一実施形態の分離状態斜視図である。
【図８】光フアイバケーブルを図７の光フアイバケーブル固定装置に取り付ける手順説明の側断面図である。
【図９】本発明光フアイバケーブル固定装置第４の一実施形態の分離状態斜視図である。
【図１０】光フアイバケーブルを図７の光フアイバケーブル固定装置に取り付ける手順説明の側断面図である。
【図１１】本発明光フアイバケーブル固定装置第５の一実施形態の分離状態斜視図である。
【図１２】光フアイバケーブルを図１１の光フアイバケーブル固定装置に取り付ける手順説明の側断面図である。
【図１３】本発明光フアイバケーブル固定装置第６の一実施形態の分離状態斜視図である。
【図１４】光フアイバケーブルを図１３の光フアイバケーブル固定装置に取り付ける手順説明の側断面図である。
【図１５】光フアイバケーブルが光フアイバケーブル固定装置に取り付けられた状態の平面図（その１）である。
【図１６】光フアイバケーブルが光フアイバケーブル固定装置に取り付けられた状態の平面図（その２）である。
【図１７】光フアイバケーブルが光フアイバケーブル固定装置に取り付けられた状態の平面図（その３）である。
【図１８】本発明光フアイバケーブル固定装置第７の一実施形態の分離状態斜視図である。
【図１９】本発明光フアイバケーブル固定装置第８の一実施形態の分離状態斜視図である。
【図２０】光フアイバケーブルを図１８、図１９の光フアイバケーブル固定装置に取り付けた状態の側断面図である。
【図２１】本発明光フアイバケーブル固定装置第９の一実施形態の分離状態斜視図である。
【図２２】本発明光フアイバケーブル固定装置第１０の一実施形態の分離状態斜視図である。
【図２３】光フアイバケーブルを図２１、図２２の光フアイバケーブル固定装置に取り付けた状態の側断面図である。
【図２４】本発明光フアイバケーブル固定装置を適用した伝送装置ユニットの平面図（その１）である。
【図２５】本発明光フアイバケーブル固定装置を適用した伝送装置ユニットの平面図（その２）である。
【図２６】図２４、図２５における光フアイバケーブル固定装置のスペース説明図である。
【図２７】本発明にかかる光フアイバケーブル保持装置である。
【図２８】図２７の光フアイバケーブル保持装置による光フアイバケーブル取り付け状態である。
【図２９】図２７の光フアイバケーブル保持装置の異なる一実施形態である。
【図３０】本発明光フアイバケーブル固定装置第１１の一実施形態の分離状態斜視図である。
【図３１】光フアイバケーブルを図３０の光フアイバケーブル固定装置に取り付ける手順説明の側断面図である。
【図３２】光フアイバケーブルが光フアイバケーブル固定装置に取り付けられた状態の平面図である。
【図３３】二心の光フアイバケーブルの構成説明図である。
【図３４】単心の光フアイバケーブルの構成説明図である。
【図３５】従来の二心の光フアイバケーブル固定装置の斜視図である。
【図３６】従来の単心の光フアイバケーブル固定装置の斜視図である。
【図３７】従来の光フアイバケーブル固定装置を適用した伝送装置ユニットの平面図である。
【図３８】図３７における光フアイバケーブル固定装置のスペース説明図である。
【符号の説明】
１    二心の光フアイバケーブル、光フアイバケーブル
２    単心の光フアイバケーブル、光フアイバケーブル
３    光フアイバ
４    補強線
５    被覆
１１    光フアイバケーブル固定装置
１２    支持板
１３    係止部材
１４    係合突起
１５    取り付け用孔
１６    貫通孔
１７    ねじ
２１    光フアイバケーブル固定装置
２２    支持板
２３    係止部材
２４    取り付け用孔
２５    貫通孔
２６    ねじ
３１    伝送装置ユニット
３２    筐体
３３    光モジュール
３４    ねじ
３５    余長処理部
３６    光フアイバ
３７    光コネクタ
３８    スプライス接続部
３９    バンド
４１    電源ユニット
４２    電源線
４３    光コネクタ
４４    操作部品
４５    同軸コネクタ
５１    光フアイバケーブル固定装置
５２    支持台
５３    押圧具
５４    基板面
５５    突条
５６    取り付け用孔
５７    貫通孔
５８    上面
５９    ねじ孔
６１    一対の突条
６２    底面
６３    取り付け用孔
６４    傾斜面
６５、６７    ねじ
６８    間隙
７１    光フアイバケーブル固定装置
７２    支持台
７３    押圧具
７４    基板面
７５    凹溝
７６    突条
７７    取り付け用孔
７８    上面
７９    横断溝
８１    ねじ孔
８２    第１の突条
８３    第２の突条
８４    底面
８５    取り付け用孔
８６    傾斜面
８７、８８    ねじ
８９    間隙
９１    光フアイバケーブル保持装置
９２    主面
９３    取り付け用孔
９４    光フアイバケーブルの取り付け部
１０１    光フアイバケーブル固定装置
１０２    支持台
１０３    押圧具
１０４    貫通孔
１０５    上面
１０６    ねじ孔
１０７    取り付け用孔
１０８    一対の突条
１０９    底面
１１１    取り付け用孔
１１２    傾斜面
１１３、１１４    ねじ
１１５    間隙
１２１    光フアイバケーブル固定装置
１２２    支持台
１２３    押圧具
１２４    凹溝
１２５    貫通孔
１２６    ねじ孔
１２７    取り付け用孔
１２８    第１の突条
１２９    第２の突条
１３１    底面
１３２    取り付け用孔
１３３    傾斜面
１３４    上面
１３５、１３６    ねじ
１３７    間隙
１４１    光フアイバケーブル固定装置
１４２    支持台
１４３    押圧具
１４４    凹溝
１４５    上面
１４６    横断溝
１４７    ねじ孔
１４８    取り付け用孔
１４９    第１の突条
１５１    第２の突条
１５２    底面
１５３    取り付け用孔
１５４    傾斜面
１５５、１５６    ねじ
１５７    間隙
１６１    光フアイバケーブル固定装置
１６２    支持台
１６３    押圧具
１６４    凹溝
１６５    上面
１６６    横断溝
１６７    ねじ孔
１６８    取り付け用孔
１６９    第１の突条
１７１    第２の突条
１７２    底面
１７３    取り付け用孔
１７４    傾斜面
１７５、１７６    ねじ
１７７    間隙
１８１    光フアイバケーブル固定装置
１８２    支持台
１８３    押圧具
１８４    凹溝
１８５    貫通孔
１８６    上面
１８７    横断溝
１８８    ねじ孔
１８９    取り付け用孔
１９１    第１の突条
１９２    第２の突条
１９３    底面
１９４    取り付け用孔
１９５    傾斜面
１９６    ねじ
１９７    間隙
２０１    光フアイバケーブル固定装置
２０２    支持台
２０３    押圧具
２０４    凹溝
２０５    貫通孔
２０６    上面
２０７    横断溝
２０８    ねじ孔
２０９    取り付け用孔
２１１    第１の突条
２１２    第２の突条
２１３    底面
２１４    取り付け用孔
２１５    傾斜面
２２１    光フアイバケーブル固定装置
２２２    支持台
２２３    押圧具
２２４    凹溝
２２５    上面
２２６    第１の横断溝
２２７    第２の横断溝
２２８    ねじ孔
２２９    取り付け用孔
２３１    第１の突条
２３２    第２の突条
２３３    底面
２３４    取り付け用孔
２３５    傾斜面
２３６    ねじ
２３７    間隙
２４１    光フアイバケーブル固定装置
２４２    支持台
２４３    押圧具
２４４    凹溝
２４５    上面
２４６    第１の横断溝
２４７    第２の横断溝
２４８    ねじ孔
２４９    取り付け用孔
２５１    第１の突条
２５２    第２の突条
２５３    底面
２５４    取り付け用孔
２５５    傾斜面
２６１    伝送装置ユニット
２６２    筐体
２６３    光フアイバケーブル取り付け用突出片
２６４    位置決め用突条
２７１、２７１Ａ    光フアイバケーブル保持装置
２７２    取り付け面
２７３    固定装置取り付け面
２７４    ケーブル保持部
２７５    取り付け用孔
２７６    貫通孔
２７７    ねじ孔
２７８    脚部
２７９    ケーブル取り付け部
２８１    位置決め用突起
２８２    ねじ
２９１    光フアイバケーブル固定装置
２９２    本体
２９３    押圧具
２９４    保持具
２９５    底面
２９６    起立面
２９７    切り欠き溝
２９８    貫通孔
２９９    押さえ面
３０１    折り曲げ面
３０２    窓孔
３０３    連結条
３０４    貫通孔
３０５    折り曲げ突起
３０６    突条
３０７    切り欠き溝
３０８    上面
３０９    貫通孔
３１１    取り付け面
３１２    ケーブル取り付け部
３１３    ねじ孔
３１４    取り付け用孔
３１５、３１６    ねじ
【図１】
0003539243.tif 000002
【図２】
0003539243.tif 000003
【図３】
0003539243.tif 000004
【図４】
0003539243.tif 000005
【図５】
0003539243.tif 000006
【図６】
0003539243.tif 000007
【図７】
0003539243.tif 000008
【図８】
0003539243.tif 000009
【図９】
0003539243.tif 000010
【図１０】
0003539243.tif 000011
【図１１】
0003539243.tif 000012
【図１２】
0003539243.tif 000013
【図１３】
0003539243.tif 000014
【図１４】
0003539243.tif 000015
【図１５】
0003539243.tif 000016
【図１６】
0003539243.tif 000017
【図１７】
0003539243.tif 000018
【図１８】
0003539243.tif 000019
【図１９】
0003539243.tif 000020
【図２０】
0003539243.tif 000021
【図２１】
0003539243.tif 000022
【図２２】
0003539243.tif 000023
【図２３】
0003539243.tif 000024
【図２４】
0003539243.tif 000025
【図２５】
0003539243.tif 000026
【図２６】
0003539243.tif 000027
【図２７】
0003539243.tif 000028
【図２８】
0003539243.tif 000029
【図２９】
0003539243.tif 000030
【図３０】
0003539243.tif 000031
【図３１】
0003539243.tif 000032
【図３２】
0003539243.tif 000033
【図３３】
0003539243.tif 000034
【図３４】
0003539243.tif 000035
【図３５】
0003539243.tif 000036
【図３６】
0003539243.tif 000037
【図３７】
0003539243.tif 000038
【図３８】
0003539243.tif 000039